(57)【要約】無線通信ネットワークにおけるハンドオーバにおいて、最後に使用される順序番号の指示子を有するダミーパケット又はデータパケットが、ソースノードｅＮＢ２からターゲットノード３に伝達される。ターゲットノードｅＮＢ３がこの情報を検出すると、ターゲットノードｅＮＢ３はソースノードｅＮＢ２から受信されるデータパケットの順序、並びに最後のデータパケットがどれであるのか及びその最後のデータパケットの順序番号を知る。こうして、データパケットを移動端末ＵＥ１に送るために適当に順序付けることができる。
2010536293.tif 000002
【特許請求の範囲】
【請求項１】
無線通信ネットワークにおいてソースノードからターゲットノードに移動端末をハンドオーバする方法であって、
ハンドオーバ手順中に、前記ソースノードが任意のデータパケットを、前記任意のデータパケットを前記移動端末に送信する前記ターゲットノードに転送するステップと、
前記ソースノードにより前記ターゲットノードに送られる最後のデータパケットの順序番号を指示するために、前記ソースノードが、最後に使用される順序番号の指示子を少なくとも１つのパケットに追加するステップと、
前記指示子を有する前記パケットを前記ターゲットノードに転送するステップと、を含む方法。
【請求項２】
前記ソースノードが、最後に使用される順序番号の指示子を複数のパケットに追加する、請求項１に記載の方法。
【請求項３】
前記最後に使用される順序番号の指示子が１つ又は複数のデータパケットに追加される、請求項１又は２のいずれか１項に記載の方法。
【請求項４】
前記指示子が、前記ターゲットノードに転送する前に前記ソースノードにおいてバッファされるデータパケットに追加される、請求項３に記載の方法。
【請求項５】
前記指示子が、前記ソースノードにおけるバッファリングなしに前記ソースノードから前記ターゲットノードに送信されるデータパケットに追加される、請求項３又は４のいずれか１項に記載の方法。
【請求項６】
前記最後に使用される順序番号の指示子が１つ又は複数のダミーパケットに追加される、請求項１又は２のいずれか１項に記載の方法。
【請求項７】
前記通信ネットワークがＬＴＥ（ロングタームエボリューション）規格に基づく、請求項１乃至６のいずれか１項に記載の方法。
【請求項８】
請求項１乃至７のいずれか１項に記載される方法に従って機能する無線通信ネットワーク。
【請求項９】
ハンドオーバ中にネットワークノードにより別のターゲットノードに送られる最後のデータパケットの順序番号を指示するために、最後に使用される順序番号の指示子を少なくとも１つのパケットに追加するためのジェネレータを備える、ネットワークノード。
【請求項１０】
請求項９に記載のネットワークノードであって、最後に使用される順序番号の指示子を有するダミーパケットを生成するためのジェネレータを含む、ネットワークノード。
【発明の詳細な説明】
【技術分野】
【０００１】
本発明は、無線通信ネットワークにおけるハンドオーバのための方法及び機器に関し、より詳細には３ＧＰＰ（第３世代パートナーシッププロジェクト）Ｅ−ＵＴＲＡＮ（進化型ユニバーサル陸上無線アクセスネットワーク）及びＥ−ＵＴＲＡ（進化型ユニバーサル陸上無線アクセス）規格に従って実施される方法及び機器に関するがそれだけに限られない。
【背景技術】
【０００２】
現在、３ＧＰＰは、参照により本明細書に組み込まれる技術仕様３ＧＰＰ  ＴＳ  ３６．３００  ｖ８．１．０（２００７−０６）及び関連文書に提示されるＥ−ＵＴＲＡ及びＥ−ＵＴＲＡＮの発展を検討している。３ＧＰＰ  ＬＴＥ（ロングタームエボリューション）は、例えば効率やサービスを改善することにより、ＵＭＴＳ（ユニバーサル移動通信システム）標準を向上させることを目標とする。
【０００３】
Ｅ−ＵＴＲＡＮでは、データがＵＥ（ユーザ機器）とネットワークノードｅＮＢ（ＮｏｄｅＢ）との間の無線リンク上のＲＢ（無線ベアラ）上で送信される状態で、ＵＥはｅＮＢと通信する。このｅＮＢは、Ｓ１と称されるインターフェースを介してＭＭＥ／ＳＡＥ  ＧＷ（移動管理エンティティ／システムアーキテクチャエボリューションゲートウェイ）とインターフェースする。Ｅ−ＵＴＲＡＮネットワークは、複数のｅＮＢ及びＭＭＥ／ＳＡＥ  ＧＷを含む。
【０００４】
ＬＴＥでは、すべてのＲＡＮ（無線アクセスネットワーク）機能が各ノード、ｅＮＢに統合される。ダウンリンク・ユーザデータ、つまりＩＰ（インターネット・プロトコル）パケットは、ＳＡＥ  ＧＷからｅＮＢに伝送される。ＵＥが第１のソースｅＮＢから別のターゲットｅＮＢにハンドオーバされる際、ＳＡＥ  ＧＷはこのＵＥの現在位置ｅＮＢで更新され、そのターゲットｅＮＢへのデータの送信を開始する。
【０００５】
しかしデータ損失を避けるため、ソースｅＮＢ内で既にバッファされている任意のデータはターゲットｅＮＢに転送されなければならない。さらに、ＳＡＥ  ＧＷがこのＵＥの現在位置で更新される前にＨＯ（ハンドオーバ）手順中にソースｅＮＢに送信されているデータも、ソースｅＮＢによりターゲットｅＮＢに転送される。
【０００６】
ＵＥに送信されるパケットの順番を保つために、ターゲットｅＮＢはまずＳＡＥ  ＧＷによって送信されるのと同じ順番で無線を介してデータを送信する必要がある。つまり、まずｅＮＢによってバッファされるデータがターゲットｅＮＢに送信され、その後にＨＯ手順中にＳＡＥ  ＧＷから伝送中のデータが続き、これらすべてが送信されたときにだけ、ターゲットｅＮＢはＳＡＥ  ＧＷから直接受信する新たなデータをＵＥに送信することができる。
【０００７】
図１に、ＵＥ１に適用されるＨＯ手順に関するメッセージフローを示し、この図はソースｅＮＢ２、ターゲットｅＮＢ３、及びＭＭＥ／ＳＡＥ  ＧＷ４を含むネットワークを示す。ソースｅＮＢ２がＵＥ１からの測定報告に基づいてハンドオーバの決定を行うと、ソースｅＮＢ２はハンドオーバ要求メッセージをターゲットｅＮＢ３に送信する。許可制御ステップ５で、ターゲットｅＮＢ３は要求される資源を構成し、ハンドオーバ要求肯定応答メッセージをソースｅＮＢ２に送信する。ソースｅＮＢ２からＵＥ１へのハンドオーバ命令に続き、ＵＥ１は旧セルから離脱し、ターゲットｅＮＢ３に関連する新たなセルに同期する。さらに、ソースｅＮＢ２においてバッファされるデータパケット及び伝送中の任意のデータパケットが、ターゲットｅＮＢ３に転送される。ステップ１０でのＵＥ１からターゲットｅＮＢ３へのハンドオーバ確認メッセージに続き、ハンドオーバ完了メッセージがターゲットｅＮＢ３によりＭＭＥ／ＳＡＥ  ＧＷ４に送信される。ソースｅＮＢ２からのデータパケットは引き続きターゲットｅＮＢ３に送られる。ソースｅＮＢ２から転送されるすべてのデータをこのターゲットｅＮＢが受信すると、その後このターゲットｅＮＢはＭＭＥ／ＳＡＥ  ＧＷからＳ１を介して届く新たなデータを送信することができる。
【０００８】
すべてのパケットはＵＥに送信される通りに番号を付けられる。ＨＯの後に連続性を保ち、それらのパケットを正しい順序に再順序付けする方法を知り、さらに任意の重複パケットを特定するために、このパケット順序番号はハンドオーバの後にソースｅＮＢからターゲットｅＮＢに維持される必要がある。
【０００９】
パケットの順序番号、さらにはソースｅＮＢがＵＥに対して使用した最後の順序番号を知ることは、ターゲットｅＮＢにとって必要である。転送するデータがなく、ターゲット側でＵＥに送信する最初のパケットがＳ１インターフェースを介した新たなパケットである場合、これは最も重要である。この場合ターゲットｅＮＢは、この最初のパケットに対してどの番号を使用するのかを知る必要がある。これを達成し得る１つの方法は、最後に使用される順序番号を含む制御メッセージを送信することである。このことは、このある特定の場合のためにメッセージフォーマットを指定し、開発し、試験することを要求することになる。
【先行技術文献】
【非特許文献】
【００１０】
【非特許文献１】３ＧＰＰ  ＴＳ  ３６．３００  ｖ８．１．０（２００７−０６）
【発明の概要】
【課題を解決するための手段】
【００１１】
本発明の第１の態様によれば、無線通信ネットワークにおいてソースノードからターゲットノードに移動端末をハンドオーバするための方法は、
ハンドオーバ手順中に、ソースノードが任意のデータパケットを、それらの任意のデータパケットを移動端末に送信するターゲットノードに転送するステップと、
ソースノードによりターゲットノードに送られる最後のデータパケットの順序番号を指示するために、ソースノードが、最後に使用される順序番号の指示子を少なくとも１つのパケットに追加するステップと、
その指示子を有するパケットをターゲットノードに転送するステップと
を含む。
【００１２】
本発明を使用することにより、ハンドオーバ手順中にデータパケットを正しく順序付け、処理することを支援するための新たな制御メッセージを定義し、開発し、試験する必要はない。最後に使用される順序番号はパケット処理の一部としてターゲットノードに供給することができ、それをネットワーク設計及びプロトコルに実装するのに必要な最低限の追加機能性があればよい。有利には、順序番号情報がターゲットノードに到達することを確実にするために、最後に使用される順序番号の指示子は複数のパケットに含められる。この指示子は、データパケットに又はデータペイロードを運ばないダミーパケットに追加することができる。後者の場合、ダミーパケットはヘッダ情報及び最後に使用される順序番号のみを含むことができる。ある方法では、最後に使用される順序番号の指示子をそれぞれが運ぶデータパケットとダミーパケットとを混ぜて使用することができる。これは、例えばほんの僅かだけのデータパケットをソースノードからターゲットノードに転送する必要がある場合に有利であることがある。ダミーパケットが必要な場合は、ソースノードがそのダミーパケットを生成することができる。
【００１３】
この方法はＬＴＥ（ロングタームエボリューション）規格に基づく通信ネットワークを検討することから生じたが、他の標準又は規格に基づくネットワークにも適用することができる。
【００１４】
本発明の第２の態様によれば、無線通信ネットワークは本発明の方法に従って機能する。
【００１５】
本発明の第３の態様によれば、ネットワークノードは、ハンドオーバ中にこのノードにより別のターゲットノードに送られる最後のデータパケットの順序番号を指示するために、最後に使用される順序番号の指示子を少なくとも１つのパケットに追加するためのジェネレータを備える。或いは又は加えて、このネットワークノードは、最後に使用される順序番号の指示子を有するダミーパケットを生成するためのジェネレータを含む。
【００１６】
本発明による一部の実施形態及び方法を、例としてのみ添付の図面を参照してこれから説明する。
【図面の簡単な説明】
【００１７】
【図１】ハンドオーバ中の従来技術のネットワーク及びメッセージングの概略図である。
【図２】本発明によるハンドオーバ中のネットワーク及びメッセージングの概略図である。
【図３】図２に示すネットワークの機能についての概略流れ図である。
【発明を実施するための形態】
【００１８】
図２を参照すると、ＬＴＥ通信ネットワークでは、ステップ１２で示すようにハンドオーバ完了肯定応答メッセージがＳＡＥ  ＧＷ４からターゲットノード３に送信されるまで、ハンドオーバ手順は図１に示す手順と同様である。ソースノードｅＮＢ２は、資源を解放するように指示され、ターゲットノードｅＮＢ３に自らが転送する最後のデータパケットがどれであるのか及びそのデータパケットの順序番号を特定する。データパケットはソースノードｅＮＢ２においてバッファされ、このソースノードｅＮＢ２は、そのバッファされるデータパケットのうちの少なくとも一部に追加するための指示子を生成する。したがってこの指示子を有するパケットのそれぞれが、最後に使用される順序番号を、ターゲットノードｅＮＢ３がそれらのパケットを受信するときにターゲットノードｅＮＢ３に明らかにし、これは次いでデータパケットをＵＥ１に送信するときに使用することができる。ソースノードｅＮＢ２においてバッファされるデータパケットがない場合、この指示子はＳＡＥ  ＧＷ４によりＳ１インターフェースを介してこのソースノードｅＮＢ２に送信されるデータパケットに追加される。利用できるデータパケットがない場合、ソースノードｅＮＢ２はジェネレータを使用して、最後に使用される順序番号を含む１つ又は複数のダミーパケットを生成する。
【００１９】
図３は、ソースｅＮＢ２において実行されるステップを提示する説明のための流れ図である。
【００２０】
本発明はその趣旨又は本質的特徴から逸脱することなく他の特定の形態で実施し且つ他の方法で実施することができる。説明した実施形態及び方法は、あらゆる点で説明のためにすぎず、限定的ではないとみなされるべきである。したがって本発明の範囲は、前述の説明によってではなく添付の特許請求の範囲によって示す。この特許請求の範囲の均等物の趣意及び範囲内に含まれるすべての変更は特許請求の範囲に記載の範囲内に含まれるものとする。
【図１】
2010536293.tif 000003
【図２】
2010536293.tif 000004
【図３】
2010536293.tif 000005
【国際調査報告】
2010536293.tif 000006
2010536293.tif 000007
2010536293.tif 000008